(57)【要約】【課題】  同一内容のシンボルを時間をずらせながら受信する場合に、ダイバーシチ利得を向上させる。【解決手段】  導出部２４は、繰り返されたふたつの同一内容のＯＦＤＭシンボルのそれぞれに対応するＳＮＲを導出する。さらに、導出部２４は、導出したＳＮＲから、重み係数を導出するための制御信号を生成し、これを合成制御信号２０２として出力する。ＦＦＴ２６は、遅延シンボル合成部２０において合成した信号に対して、ＦＦＴを実行する。等化部２８は、ＦＦＴ２６から入力するサブキャリアの信号に対して、等化処理を実行する。合成部３０は、ふたつの重み係数と同一内容のＯＦＤＭシンボルを対応させつつ、重み係数によって同一内容のＯＦＤＭシンボルを重み付けしてから、等化データ２０４のうち、同一内容のＯＦＤＭシンボルを合成する。【選択図】  図６
2006100887.tif 000002
【特許請求の範囲】
【請求項１】
同一内容のシンボルが所定の回数繰り返された信号を入力する入力部と、
所定の回数繰り返された同一内容のシンボルのそれぞれに対応する信号強度を反映させながら、所定の回数に応じた数の重み係数をそれぞれ導出する導出部と、
所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成する合成部と、
を備えることを特徴とするダイバーシチ装置。
【請求項２】
前記導出部は、シンボル単位の信号強度を反映させながら、重み係数をシンボル単位で更新することを特徴とする請求項１に記載のダイバーシチ装置。
【請求項３】
前記入力部に入力される信号は、周波数ホッピングされており、
前記導出部は、周波数ホッピングにおいて規定された複数のホッピング周波数のそれぞれに対応する信号強度を反映させながら、ホッピング周波数単位の重み係数をそれぞれ導出することを特徴とする請求項１に記載のダイバーシチ装置。
【請求項４】
前記入力部に入力される信号は、複数のシンボルを含んだバースト信号であり、
前記導出部は、バースト信号の一部の期間において、ホッピング周波数単位の重み係数をそれぞれ導出することを特徴とする請求項３に記載のダイバーシチ装置。
【請求項５】
同一内容のシンボルが所定の回数繰り返された信号を入力する入力部と、
所定の回数繰り返された同一内容のシンボルのそれぞれに対応する信号対雑音比を反映させながら、所定の回数に応じた数の重み係数をそれぞれ導出する導出部と、
所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成する合成部とを備え、
前記入力部に入力される信号のうち、ひとつのシンボルは、有送信区間と無送信区間によって形成されており、
前記導出部は、ひとつのシンボルにおける有送信区間と無送信区間での信号強度から、信号対雑音比を導出することを特徴とするダイバーシチ装置。
【請求項６】
前記導出部は、シンボル単位の信号対雑音比を反映させながら、重み係数をシンボル単位で更新することを特徴とする請求項５に記載のダイバーシチ装置。
【請求項７】
前記入力部に入力される信号は、周波数ホッピングされており、
前記導出部は、周波数ホッピングにおいて規定された複数のホッピング周波数のそれぞれに対応する信号対雑音比を反映させながら、ホッピング周波数単位の重み係数をそれぞれ導出することを特徴とする請求項５に記載のダイバーシチ装置。
【請求項８】
前記入力部に入力される信号は、複数のシンボルを含んだバースト信号であり、
前記導出部は、バースト信号の一部の期間において、ホッピング周波数単位の重み係数をそれぞれ導出することを特徴とする請求項７に記載のダイバーシチ装置。
【請求項９】
前記入力部に入力される信号のうち、ひとつのシンボルは、複数のキャリアを使用しており、
前記合成部は、複数のキャリアのそれぞれを単位にして、同一内容のシンボルを合成することを特徴とする請求項１から８のそれぞれに記載のダイバーシチ装置。
【請求項１０】
同一内容のシンボルが所定の回数繰り返された信号を入力し、
所定の回数繰り返された同一内容のシンボルのそれぞれに対応する信号強度を反映させながら、同一内容のシンボルにそれぞれ対応した重み係数を導出し、
同一内容のシンボルを重み係数によってそれぞれ重み付けしてから、同一内容のシンボルを合成することを特徴とするダイバーシチ方法。
【請求項１１】
同一内容のシンボルが所定の回数繰り返された信号であって、かつ有送信区間と無送信区間によって形成されたシンボルを含んだ信号を入力し、
所定の回数繰り返された同一内容のシンボルのそれぞれに対応する信号対雑音比であって、かつひとつのシンボルにおける有送信区間と無送信区間での信号強度から計算された信号対雑音比を反映させながら、同一内容のシンボルにそれぞれ対応した重み係数を導出し、
同一内容のシンボルを重み係数によってそれぞれ重み付けしてから、同一内容のシンボルを合成することを特徴とするダイバーシチ方法。
【発明の詳細な説明】
【技術分野】
【０００１】
本発明は、ダイバーシチ技術に関し、特にふたつの受信信号を合成するダイバーシチ方法および装置に関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮの標準化規格であるＩＥＥＥ８０２．１１ａ，ｇやＨＩＰＥＲＬＡＮ／２に適用されている。このような無線ＬＡＮにおいて受信する信号は、一般的に時間と共に変動する伝送路環境を介しており、かつ周波数選択性フェージングの影響を受けている。そのため、受信装置は伝送路推定を動的に実行すべきである。受信装置が伝送路推定を実行するために、２種類の既知信号が設けられている。ひとつは、バースト信号の先頭部分において、すべてのキャリアに対して設けられた既知信号であり、いわゆるプリアンブルやトレーニング信号といわれるものである。もうひとつは、バースト信号のデータ区間中に一部のキャリアに対して設けられた既知信号であり、いわゆるパイロット信号と言われるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，”Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ”，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００３】
無線通信の分野において、従来からスペクトラム拡散通信方式（ＳＳ）の検討がなされている。スペクトラム拡散通信方式は、直接拡散方式（ＤＳ）と周波数ホッピング方式（ＦＨ）を含む。ＦＨ方式は、搬送波の周波数を符号系列にもとづいて次々とホッピングさせてスペクトル拡散通信を行う。そのため、ＦＨ方式でのスペクトル分布は、長時間観測すると広帯域を占有しているが、ひとつのビットあるいはシンボル単位で観測すると特定の周波数帯域のみを占有した信号であって、ＤＳ方式よりも狭帯域な信号である。そのため、干渉回避型のＳＳであるといえるので、複数のユーザが同一のタイミングに同一周波数で通信する確率が小さくなるという利点を有する。
【０００４】
このようなＦＨ方式と前述のＯＦＤＭ変調方式とを組み合わせたＭＢ−ＯＦＤＭ方式が提案され、これは、ＷＰＡＮ（Ｗｉｒｅｌｅｓｓ  Ｐｅｒｓｏｎａｌ  Ａｒｅａ  Ｎｅｔｗｏｒｋ）に適用されている。ＷＰＡＮとは、無線ＬＡＮよりも狭い範囲の無線ネットワークであり、ＰＤＡや周辺機器間の近距離無線ネットワークである。また、このようなＭＢ−ＯＦＤＭ変調方式を使用したＵＷＢ（Ｕｌｔｒａ  Ｗｉｄｅｂａｎｄ）において、３．１ＧＨｚから１０．６ＧＨｚの帯域の使用が予定されている。
【０００５】
ＷＰＡＮに適用されるＭＢ−ＯＦＤＭ変調方式は、複数種類のデータ伝送速度をサポートする。このような状況下において、データ伝送速度が低い場合には、同一のシンボルが連続して送信される。連続して送信されるシンボルのそれぞれに対する信号強度や信号対雑音比が異なる場合もある。そのような場合に、それらのシンボルをそのまま合成すると、信号強度や信号対雑音比の低い方のシンボルが影響を及ぼすために、合成利得が低下してしまう。
【０００６】
本発明はこうした状況に鑑みてなされたものであり、その目的は、同一のシンボルが送信され、それらのシンボルの品質が異なる場合に、シンボルの合成利得の低下を抑制するダイバーシチ方法及び装置を提供することである。
【課題を解決するための手段】
【０００７】
上記課題を解決するために、本発明のある態様のダイバーシチ装置は、同一内容のシンボルが所定の回数繰り返された信号を入力する入力部と、所定の回数繰り返された同一内容のシンボルのそれぞれに対応する信号強度を反映させながら、所定の回数に応じた数の重み係数をそれぞれ導出する導出部と、所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成する合成部と、を備える。
【０００８】
この態様によると、所定の回数繰り返された同一内容のシンボルのそれぞれに対応する重み係数が、同一内容のシンボルのそれぞれに対する信号強度を反映しているので、同一内容のシンボルの一方における品質が低い場合であっても、シンボルの合成利得の低下を抑制できる。
【０００９】
導出部は、シンボル単位の信号強度を反映させながら、重み係数をシンボル単位で更新してもよい。この場合、無線伝送路の変動に追従した重み係数を導出できる。
【００１０】
入力部に入力される信号は、周波数ホッピングされており、導出部は、周波数ホッピングにおいて規定された複数のホッピング周波数のそれぞれに対応する信号強度を反映させながら、ホッピング周波数単位の重み係数をそれぞれ導出してもよい。この場合、周波数ホッピングに対応した重み係数を導出できる。
【００１１】
入力部に入力される信号は、複数のシンボルを含んだバースト信号であり、導出部は、バースト信号の一部の期間において、ホッピング周波数単位の重み係数をそれぞれ導出してもよい。この場合、バースト信号の一部の期間において重み係数を導出すればよいので、処理の期間を短くできる。
【００１２】
本発明の別の態様もまた、ダイバーシチ装置である。この装置は、同一内容のシンボルが所定の回数繰り返された信号を入力する入力部と、所定の回数繰り返された同一内容のシンボルのそれぞれに対応する信号対雑音比を反映させながら、所定の回数に応じた数の重み係数をそれぞれ導出する導出部と、所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成する合成部とを備える。入力部に入力される信号のうち、ひとつのシンボルは、有送信区間と無送信区間によって形成されており、導出部は、ひとつのシンボルにおける有送信区間と無送信区間での信号強度から、信号対雑音比を導出する。
【００１３】
「有送信区間」とは、送信装置が何らかの信号を送信している区間を示す、「無送信区間」とは、送信装置が信号を送信していない区間を示す。これらの区間の特定は、送信装置においてなされればよいので、受信装置が「有送信区間」に信号を受信していなくてもよく、あるいは「無送信区間」に信号を受信していてもよい。
【００１４】
この態様によると、所定の回数繰り返された同一内容のシンボルのそれぞれに対応する重み係数が、同一内容のシンボルのそれぞれに対応する信号対雑音比を反映するので、同一内容のシンボルの一方における品質が低い場合であっても、シンボルの合成利得の低下を抑制できる。
【００１５】
入力部に入力される信号のうち、ひとつのシンボルは、複数のキャリアを使用しており、合成部は、複数のキャリアのそれぞれを単位にして、同一内容のシンボルを合成してもよい。この場合、マルチキャリア信号にも対応できる。
【００１６】
本発明のさらに別の態様は、ダイバーシチ方法である。この方法は、同一内容のシンボルが所定の回数繰り返された信号を入力し、所定の回数繰り返された同一内容のシンボルのそれぞれに対応する信号強度を反映させながら、同一内容のシンボルにそれぞれ対応した重み係数を導出し、同一内容のシンボルを重み係数によってそれぞれ重み付けしてから、同一内容のシンボルを合成する。
【００１７】
本発明のさらに別の態様もまた、ダイバーシチ方法である。この方法は、同一内容のシンボルが所定の回数繰り返された信号であって、かつ有送信区間と無送信区間によって形成されたシンボルを含んだ信号を入力し、所定の回数繰り返された同一内容のシンボルのそれぞれに対応する信号対雑音比であって、かつひとつのシンボルにおける有送信区間と無送信区間での信号強度から計算された信号対雑音比を反映させながら、同一内容のシンボルにそれぞれ対応した重み係数を導出し、同一内容のシンボルを重み係数によってそれぞれ重み付けしてから、同一内容のシンボルを合成する。
【００１８】
本発明のさらに別の態様もまた、ダイバーシチ方法である。同一内容のシンボルが所定の回数繰り返された信号を入力するステップと、所定の回数繰り返された同一内容のシンボルのそれぞれに対応する信号強度を反映させながら、所定の回数に応じた数の重み係数をそれぞれ導出するステップと、所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成するステップと、を備える
【００１９】
導出するステップは、シンボル単位の信号強度を反映させながら、重み係数をシンボル単位で更新してもよい。入力するステップに入力される信号は、周波数ホッピングされており、導出するステップは、周波数ホッピングにおいて規定された複数のホッピング周波数のそれぞれに対応する信号強度を反映させながら、ホッピング周波数単位の重み係数をそれぞれ導出してもよい。入力するステップに入力される信号は、複数のシンボルを含んだバースト信号であり、導出するステップは、バースト信号の一部の期間において、ホッピング周波数単位の重み係数をそれぞれ導出してもよい。
【００２０】
本発明のさらに別の態様もまた、ダイバーシチ方法である。同一内容のシンボルが所定の回数繰り返された信号を入力するステップと、所定の回数繰り返された同一内容のシンボルのそれぞれに対応する信号対雑音比を反映させながら、所定の回数に応じた数の重み係数をそれぞれ導出するステップと、所定の回数に応じた数の重み係数と、所定の回数繰り返された同一内容のシンボルとを対応させつつ、所定の回数に応じた数の重み係数によって同一内容のシンボルをそれぞれ重み付けしてから、同一内容のシンボルを合成するステップとを備える。入力するステップに入力される信号のうち、ひとつのシンボルは、有送信区間と無送信区間によって形成されており、導出するステップは、ひとつのシンボルにおける有送信区間と無送信区間での信号強度から、信号対雑音比を導出する。
【００２１】
導出するステップは、シンボル単位の信号対雑音比を反映させながら、重み係数をシンボル単位で更新してもよい。入力するステップに入力される信号は、周波数ホッピングされており、導出するステップは、周波数ホッピングにおいて規定された複数のホッピング周波数のそれぞれに対応する信号対雑音比を反映させながら、ホッピング周波数単位の重み係数をそれぞれ導出してもよい。入力するステップに入力される信号は、複数のシンボルを含んだバースト信号であり、導出するステップは、バースト信号の一部の期間において、ホッピング周波数単位の重み係数をそれぞれ導出してもよい。入力するステップに入力される信号のうち、ひとつのシンボルは、複数のキャリアを使用しており、合成するステップは、複数のキャリアのそれぞれを単位にして、同一内容のシンボルを合成してもよい。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
本発明によれば、同一のシンボルが送信され、それらのシンボルの品質が異なる場合に、シンボルの合成利得の低下を抑制できる。
【発明を実施するための最良の形態】
【００２４】
本発明を具体的に説明する前に、概要を述べる。本発明の実施例は、シンボル単位で周波数ホッピングがなされる通信システムでの受信装置に関する。周波数ホッピングされるシンボルには、ＯＦＤＭ変調方式が適用されており、実施例に係る通信システムは、ＭＢ−ＯＦＤＭ変調方式を適用したＵＷＢを対象とする。本実施例に係る通信システムでは、連続したふたつのシンボルにおいて、同一内容のシンボルが伝送される。そのため、同一内容のシンボルが、異なった時間において、かつ異なった周波数において伝送される。受信装置は、受信した信号を復調する際に、同一内容のシンボルを合成することによって、ダイバーシチの効果を得る。その際、同一内容であるふたつのシンボルにそれぞれに対応した信号対雑音比（以下、「ＳＮＲ（Ｓｉｇｎａｌ  ｔｏ  Ｎｏｉｓｅ  Ｒａｔｉｏ）」という）を導出し、さらにＳＮＲから重み係数をそれぞれ導出する。受信装置は、同一内容のシンボルにそれぞれに対応した重み係数によって重み付けを行ってから、同一内容のシンボルを合成する。
【００２５】
図１は、本発明の実施例に係る受信装置１００の構成を示す。受信装置１００は、アンテナ１０、無線部１２、ベースバンド処理部１４、制御部１６を含む。
【００２６】
アンテナ１０は、無線区間を介して、図示しない送信装置から信号を受信する。受信する信号には、ＯＦＤＭ変調方式とＦＨ方式が適用されている。それぞれのサブキャリアは、ＱＰＳＫ（Ｑｕａｄｒａｔｕｒｅ  Ｐｈａｓｅ  Ｓｈｉｆｔ  Ｋｅｙｉｎｇ）によって位相変調されている。さらに、ＯＦＤＭ変調方式におけるひとつの単位であるＯＦＤＭシンボルは、所定のホッピングパターンによって周波数ホッピングされている。ここで、ＯＦＤＭシンボルについては、後述する。なお、受信する信号は、所定の無線周波数を有している。
【００２７】
無線部１２は、アンテナ１０において受信した無線周波数の信号をベースバンド信号に周波数変換する。無線部１２には、所定のホッピングパターンによって周波数ホッピングを実行するために符号発生器が備えられており、符号発生器から発生される擬似ランダム符号信号が、受信した無線周波数の信号でのホッピングパターンに同期している。符号発生器は、所定の方法によって、受信した無線周波数の信号でのホッピングパターンとの同期を実行する。なお、ベースバンド信号は、同相成分と直交成分を含んでいるので、一般的にふたつの信号線によって示されるべきであるが、ここでは、説明の明瞭化のためにひとつの信号線によって示すものとする。以下も同様である。
【００２８】
ベースバンド処理部１４は、無線部１２から入力したベースバンド信号を復調する。ベースバンド信号には、ＯＦＤＭ変調方式が適用されているので、ベースバンド処理部１４は、ベースバンド信号をＦＦＴ（Ｆａｓｔ  Ｆｏｕｒｉｅｒ  Ｔｒａｎｓｆｏｒｍ）する。さらに、詳細は後述するが、連続したふたつのＯＦＤＭシンボルは、同一の内容を有しているので、ベースバンド処理部１４は、これらの信号に対して、ダイバーシチ処理を行う。さらに、ベースバンド処理部１４は、ＱＰＳＫに対応したデマッピング処理を施した後、デインターリーブ処理を施して、復号する。これに対応して、図示しない送信装置において、インターリーブと符号化がなされている。
【００２９】
制御部１６は、受信装置１００が所定の処理を実行できるように、受信装置１００全体を制御する。特に、制御部１６は、受信装置１００におけるタイミングを制御する。
【００３０】
図２は、受信装置１００において受信される信号のホッピング周波数を示す。ここでは、説明の簡略化のために、図示のごとく、「バンド１」と「バンド２」のふたつの周波数を使用する。「バンド１」における信号が、さらにＯＦＤＭ変調されている。本実施例における通信システムは、周波数ホッピングを使用しているので、所定のタイミングで「バンド１」と「バンド２」を切り替えて使用する。ここでは、説明の簡略化のために、「バンド１」と「バンド２」を交互に切り替えて使用する。すなわち、「バンド１」、「バンド２」、「バンド１」、「バンド２」というようなホッピングパターンが使用される。
【００３１】
図３（ａ）−（ｃ）は、受信装置１００において受信される信号のシンボルの構成を示す。図３（ａ）は、送信装置において、ＩＦＦＴがなされた信号（以下、「ＩＦＦＴ信号」という）を示す。送信装置において、周波数領域の信号は、ＩＦＦＴされて時間領域の信号に変換される。ここで、送信装置のＩＦＦＴおよび受信装置のＦＦＴは、ともに１２８のデータをひとつの単位にして、すなわちＦＦＴウインドウとして実行される（以下、１２８のデータのうちのひとつに対応したタイミングを「ＦＦＴポイント」という）。図３（ａ）は、１２８ＦＦＴポイントのデータを前から順に「Ｄ１」、「Ｄ２」、「Ｄ３」、「Ｄ４」として示す。
【００３２】
図３（ｂ）は、図３（ａ）に示したＩＦＦＴ信号にガードインターバル（ＧＩ）をそれぞれ付加した信号を示す。図示のごとく、１２８ＦＦＴポイントのデータである「Ｄ１」、「Ｄ２」、「Ｄ３」、「Ｄ４」のそれぞれの後方に、「ＧＩ」が付加されている。ここで、「ＧＩ」は、何も信号を送信しない部分、すなわち無送信区間に対応するものとする。さらに、１２８ＦＦＴポイントのデータと「ＧＩ」の組み合わせを前述の「ＯＦＤＭシンボル」という。例えば、「Ｄ１」と「ＧＩ」がひとつのＯＦＤＭシンボルに相当する。「Ｄ２」、「Ｄ３」、「Ｄ４」についても同様である。
【００３３】
なお、前述のごとく、ひとつのＯＦＤＭシンボル単位にホッピング周波数が交互に切り替えられながら、周波数ホッピングが実行されているので、図示のごとく、最初の「Ｄ１」と「ＧＩ」が「バンド１」によって送信され、次の「Ｄ２」と「ＧＩ」が「バンド２」によって送信される。さらに、次の「Ｄ３」と「ＧＩ」が「バンド１」によって送信され、さらに「Ｄ４」と「ＧＩ」が「バンド２」によって送信される。以下、「ＯＦＤＭシンボル」は、図示のような時間領域の信号だけでなく、周波数領域の信号に対しても使用する。周波数領域の信号に対して「ＯＦＤＭシンボル」を使用する場合、「ＧＩ」を除外してもよい。
【００３４】
図３（ｃ）は、図３（ｂ）と同様にＩＦＦＴ信号にＧＩをそれぞれ付加した信号を示す。しかしながら、図３（ｃ）は、ＵＷＢにおいて規定される複数のデータ伝送速度のうち、図３（ｂ）のデータ伝送速度よりも低いデータ伝送速度の場合に対応する。図中の「Ｄ１」と「Ｄ１’」が同一内容であり、「Ｄ２」と「Ｄ２’」が同一内容であるので、同一内容のＯＦＤＭシンボルが、連続したふたつのＯＦＤＭシンボルにおいて送信されている。このように、同一内容のＯＦＤＭシンボルをふたつ続けて送信するので、データ伝送速度は１／２になるが、時間ダイバーシチの効果が得られる。さらに、ふたつ続けて送信されるＯＦＤＭシンボルのホッピング周波数は異なっているので、周波数ダイバーシチの効果も得られる。例えば、「Ｄ１」と「ＧＩ」が「バンド１」によって送信され、「Ｄ１’」と「ＧＩ」が「バンド２」によって送信される。なお、図１の受信装置１００は、図３（ｃ）の形式を有した信号を処理の対象にする。
【００３５】
図４（ａ）−（ｂ）は、受信装置１００において受信される信号の波形を示す。図４（ａ）は、図３（ｂ）あるいは図３（ｃ）に対応した信号の波形を示す。図示のごとく、ＯＦＤＭシンボルは、ＩＦＦＴ信号に対応した有送信の区間と、ＧＩに対応した無送信の区間の繰り返しによって形成される。図４（ｂ）は、無線伝送路を介して、図４（ａ）の信号をアンテナ１０によって受信する際の信号の波形を示す。無線伝送路において遅延波が生じるので、アンテナ１０は、ＧＩの区間においても所定の信号を受信する。しかしながら、ＧＩの区間の信号強度は、ＩＦＦＴ信号の区間よりも小さい。
【００３６】
図５は、受信装置１００において受信される信号のバーストフォーマットを示す。バースト信号には、先頭から「プリアンブル」、「ヘッダ」、「データ」が配置されている。「プリアンブル」、「ヘッダ」、「データ」は、それぞれ所定数のＯＦＤＭシンボルあるいはＩＦＦＴ信号によって形成されている。なお、これらにおいて、ＯＦＤＭシンボルあるいはＩＦＦＴ信号に対して、所定の変形が加えられてもよい。「プリアンブル」は、受信装置１００がタイミング同期や伝送路推定を実行する際に、受信装置１００によって使用される既知信号である。「ヘッダ」は、制御信号であり、「データ」は、図示しない送信装置から伝送すべき情報である。
【００３７】
図６は、ベースバンド処理部１４の構成を示す。ベースバンド処理部１４は、遅延シンボル合成部２０、シンボルタイミング同期部２２、導出部２４、ＦＦＴ２６、等化部２８、合成部３０、デマッピング部３２、デインタリーブ部３４、復号部３６を含む。また信号として、受信信号２００、合成制御信号２０２、等化データ２０４、合成データ２０６を含む。
【００３８】
ベースバンド処理部１４には、図３（ｃ）あるいは図４（ｂ）のごとく、同一内容のＯＦＤＭシンボルが所定の回数繰り返された信号が入力される。ここで、所定の回数は２回である。また、入力される信号のうち、ひとつのＯＦＤＭシンボルは、有送信区間と無送信区間によって形成されている。有信号区間はＩＦＦＴ信号に相当し、無送信区間はＧＩに相当する。入力される信号は、ＯＦＤＭシンボルを単位にして周波数ホッピングされており、入力される信号のうち、ひとつのＯＦＤＭシンボルは、複数のキャリアを使用している。なお、ベースバンド処理部１４に入力される信号を受信信号２００とする。
【００３９】
シンボルタイミング同期部２２は、入力した受信信号２００でのプリアンブルの期間において、受信信号２００に含まれたＯＦＤＭシンボルのタイミングを検出する。ＯＦＤＭシンボルのタイミングの検出は、例えば相関処理によってなされる。すなわち、シンボルタイミング同期部２２は、内部にマッチトフィルタを備えており、マッチトフィルタのタップ係数にプリアンブルに対応した既知信号の系列が記憶されている。
【００４０】
このような構成において、マッチトフィルタに入力された受信信号２００のプリアンブルの値が、タップ係数にそれぞれ近くなったタイミングにおいて、マッチトフィルタから出力される相関値が大きくなる。シンボルタイミング同期部２２は、相関値のピークを検出することによって、ＯＦＤＭシンボルのタイミングを検出する。さらに、シンボルタイミング同期部２２は、ひとつのＯＦＤＭシンボルの中において、ＩＦＦＴ信号の区間とＧＩの区間、すなわち有送信区間と無送信区間を分離する。これは、ピーク位置からのシンボル数を数えることによって実行される。例えば、ピークからＩＦＦＴ信号の区間に相当する信号は、ＩＦＦＴ信号とされる。
【００４１】
導出部２４は、受信信号２００を入力し、シンボルタイミング同期部２２からＯＦＤＭシンボルのタイミングと、ＩＦＦＴ信号の区間とＧＩの区間との境界に関する情報を入力する。また、受信信号２００では、前述のごとく、ふたつの同一内容のＯＦＤＭシンボルが繰り返されている。導出部２４は、ＯＦＤＭシンボルのタイミングと、ＩＦＦＴ信号の区間とＧＩの区間との境界に関する情報を反映させながら、繰り返されたふたつの同一内容のＯＦＤＭシンボルのそれぞれに対応するＳＮＲを導出する。
【００４２】
ここで、導出部２４は、ひとつのシンボルにおけるＩＦＦＴ信号の区間とＧＩの区間から、ＳＮＲを導出する。ＳＮＲの導出方法は、後述する。また、導出部２４は、ＯＦＤＭシンボル単位にＳＮＲを導出するので、これは、周波数ホッピングにおいて規定された複数のホッピング周波数のそれぞれに対応するＳＮＲを導出することに相当する。さらに、導出部２４は、導出したＳＮＲから、重み係数を導出するための制御信号を生成し、これを合成制御信号２０２として出力する。ここで、合成制御信号２０２は、合成すべきふたつのＯＦＤＭシンボルにおけるＳＮＲの比を示す。
【００４３】
遅延シンボル合成部２０は、受信信号２００を入力し、シンボルタイミング同期部２２からＯＦＤＭシンボルのタイミングと、ＩＦＦＴ信号の区間とＧＩの区間との境界に関する情報を入力する。遅延シンボル合成部２０は、ＩＦＦＴ信号の区間とＧＩの区間との境界に関する情報にもとづいて、受信信号２００のうちのＯＦＤＭシンボルをＩＦＦＴ信号の区間とＧＩの区間とに分離する。さらに、遅延シンボル合成部２０は、ＧＩ区間に受信された遅延波成分と、ＩＦＦＴ信号とを合成する。
【００４４】
ＦＦＴ２６は、遅延シンボル合成部２０において合成した信号に対して、ＦＦＴを実行する。その結果、時間領域の信号は周波数領域の信号に変換され、周波数領域の信号のそれぞれは、サブキャリアの信号に相当する。以下、ＯＦＤＭシンボルは、周波数領域の信号に対応する。ここで、ＦＦＴのポイント数は、ＩＦＦＴと同様に「１２８」とする。
【００４５】
等化部２８は、ＦＦＴ２６から入力するサブキャリアの信号に対して、等化処理を実行する。すなわち、サブキャリアの信号は、無線伝送路におけるマルチパス遅延により、振幅ひずみと位相ひずみを含んでいるので、これを補正する。等化処理の実行には、一般的に無線伝送路の推定が必要とされるが、等化部２８は、ブリアンブルの区間において、例えばＬＭＳ（Ｌｅａｓｔ  Ｍｅａｎ  Ｓｑｕａｒｅ）アルゴリズムなどを使用して、無線伝送路を推定する。なお、無線伝送路の推定は、サブキャリア単位に実行するものとする。ここで、等化部２８は、等化処理を実行したサブキャリアの信号を等化データ２０４として出力する。
【００４６】
合成部３０は、導出部２４から合成制御信号２０２を入力し、等化部２８から等化データ２０４を入力する。合成部３０は、合成制御信号２０２を反映させながら、同一内容のＯＦＤＭシンボル数が繰り返される回数に応じた数の重み係数をそれぞれ導出する。ここでは、同一内容のＯＦＤＭシンボルは、２回繰り返されるので、ふたつの重み係数が導出される。また、導出部２４は、重み係数をシンボル単位で更新するので、これは、ホッピング周波数単位の重み係数がそれぞれ導出されることに相当する。合成部３０は、ふたつの重み係数と同一内容のＯＦＤＭシンボルを対応させつつ、重み係数によって同一内容のＯＦＤＭシンボルを重み付けしてから、等化データ２０４のうち、同一内容のＯＦＤＭシンボルを合成する。ここで、合成部３０は、複数のキャリアのそれぞれを単位にして、ふたつの同一内容のＯＦＤＭシンボルを合成する。合成部３０は、合成した信号を合成データ２０６として出力する。
【００４７】
デマッピング部３２は、合成データ２０６をＱＰＳＫの信号点にデマッピングする。なお、合成データ２０６は、位相変調されており、ここでは、位相変調方式をＱＰＳＫとする。デマッピング部３２は、ＱＰＳＫの４つの信号点のうち、最も近接した信号点に合成データ２０６の信号点を対応させる。
【００４８】
デインタリーブ部３４は、図示しない送信装置においてなされたインタリーブの規則に対応した規則によって、デマッピング部３２からの信号をデインターリーブする。復号部３６は、デインタリーブ部３４からの信号を復号する。図示しない送信装置においてなされている符号化が畳み込み符号化であれば、復号部３６は、ビタビ復号を実行する。なお、復号部３６は、ビタビ復号を硬判定の信号にもとづいて実行してもよいし、軟判定の信号にもとづいて実行してもよい。その際、デマッピング部３２からの信号のビット数が異なる。
【００４９】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５０】
図７は、導出部２４の構成を示す。導出部２４は、電力積算部４０、平均化部４２、ＳＮＲ演算部４４、ＳＮＲ比較部４６を含む。
【００５１】
電力積算部４０は、ひとつのＯＦＤＭシンボルにおけるＩＦＦＴ信号の区間の電力を積算する。ここでは、ベースバンド処理部１４が動作するサンプリング間隔によって、入力されるＩＦＦＴ信号の区間の電力を積算する。また、電力積算部４０は、ひとつのＯＦＤＭシンボルにおけるＧＩの区間の電力を積算する。ここでは、ベースバンド処理部１４が動作するサンプリング間隔によって、入力されるＧＩの区間の電力を積算する。なお、ＯＦＤＭシンボルにおけるＩＦＦＴ信号の区間とＧＩの区間の分離は、シンボルタイミング同期部２２から入力されるＩＦＦＴ信号の区間とＧＩの区間との境界に関する情報にもとづいてなされる。
【００５２】
平均化部４２は、ＩＦＦＴ信号の区間でのサンプル数に応じて、電力積算部４０において積算したＩＦＦＴ信号の区間の電力を平均する。また、平均化部４２は、ＧＩの区間でも同様の処理を実行する。すなわち、ＩＦＦＴ信号の区間とＧＩの区間は長さが異なるので、積算したＩＦＦＴ信号の区間の電力と、積算したＧＩの区間の電力とを直接処理の対象とすることは困難である。そのため、平均化部４２は、これらの間で処理を実行できるように、平均処理を実行する。
【００５３】
ＳＮＲ演算部４４は、平均化部４２から平均したＩＦＦＴ信号の区間の電力と、平均したＧＩの区間の電力を入力する。ＳＮＲ演算部４４は、平均したＧＩの区間の電力によって、平均したＩＦＦＴ信号の区間の電力を除算して、ＳＮＲを導出する。ここで、ＧＩの区間では、遅延波も受信されるので、平均したＧＩの区間の電力は、完全な雑音レベルとは異なるが、平均したＩＦＦＴ信号の区間の電力よりも一般的に低いので、雑音レベルとみなす。なお、平均したＧＩの区間の電力として、ＧＩの区間の中でも、後方の部分における電力を平均してもよい。これによって、遅延波の影響を小さくできる。
【００５４】
ＳＮＲ比較部４６は、ＳＮＲ演算部４４から、ＯＦＤＭシンボル単位のＳＮＲを入力する。さらに、ＳＮＲ比較部４６は、ふたつの同一内容のＯＦＤＭシンボルに対するＳＮＲを比較し、その大きさの比を示す信号を生成する。例えば、ＳＮＲ比較部４６は、ふたつのＯＦＤＭシンボルに対して、比較結果を「１：２」のように示した信号を生成する。ＳＮＲ比較部４６は、生成した信号を合成制御信号２０２として出力する。
【００５５】
図８は、合成部３０の構成を示す。合成部３０は、乗算部５０、バッファ５２、加算部５４、スケーリング部５６、重み係数テーブル５８、タイミング出力部６０を含む。また、信号としてタイミング信号２０８を含む。
【００５６】
タイミング出力部６０は、導出部２４から合成制御信号２０２を入力し、制御部１６からタイミング信号２０８を入力する。タイミング信号２０８は、例えば、ＯＦＤＭシンボルのタイミングを示す信号である。タイミング出力部６０は、タイミング信号２０８にもとづいた所定のタイミングにおいて、入力した合成制御信号２０２を重み係数テーブル５８に出力する。さらに、タイミング出力部６０は、バッファ５２、スケーリング部５６を制御するためのタイミング信号を出力する。
【００５７】
重み係数テーブル５８は、ＳＮＲの比とふたつの重み係数の値を対応させたテーブルをあらかじめ記憶しておき、当該テーブルにもとづいて、合成制御信号２０２に含まれたＳＮＲの比から、ふたつの同一内容のＯＦＤＭシンボルに対するふたつの重み係数に変換する。ここで、ふたつの同一内容のＯＦＤＭシンボルは、時系列的に連続して配置されるので、重み係数テーブル５８は、それらに合わせたタイミングで重み係数をそれぞれ出力する。
【００５８】
図９は、重み係数テーブル５８におけるデータの構造を示す。「合成制御信号」の欄は、合成制御信号２０２に含まれたＳＮＲの比に相当する。すなわち、図示のごとく、「１０：１」というように規定されている。「前シンボル係数」は、ふたつの同一内容のＯＦＤＭシンボルのうち、前方のＯＦＤＭシンボルに対する重み係数を示し、「後シンボル係数」は、ふたつの同一内容のＯＦＤＭシンボルのうち、後方のＯＦＤＭシンボルに対する重み係数を示す。ここで、「Ａ１」等は任意の値を示す。以上の処理により、ここでは、ＳＮＲの比を反映させるように、複数の重み係数を導出する。
【００５９】
図８に戻る。乗算部５０は、等化データ２０４に対して、重み係数テーブル５８からの重み係数を乗算する。等化データ２０４は、ＯＦＤＭシンボルを含み、さらにＯＦＤＭシンボルは、複数のサブキャリアの信号を含む。乗算部５０は、ひとつのＯＦＤＭシンボルに含まれた複数のサブキャリアの信号に対して、同一の重み係数を乗算する。さらに、乗算部５０は、ふたつの同一内容のＯＦＤＭシンボルのうち、前方のＯＦＤＭシンボルに対して、「前シンボル係数」を乗算し、ふたつの同一内容のＯＦＤＭシンボルのうち、後方のＯＦＤＭシンボルに対して、「後シンボル係数」を乗算する。
【００６０】
バッファ５２は、ひとつのＯＦＤＭシンボルの期間、前シンボル係数を乗算したＯＦＤＭシンボルを遅延させる。加算部５４は、バッファ５２において遅延されたＯＦＤＭシンボルと、乗算部５０からのＯＦＤＭシンボルを加算する。前者は、「前シンボル係数」を乗算したＯＦＤＭシンボルに相当し、後者は、「後シンボル係数」を乗算したＯＦＤＭシンボルに相当する。なお、ひとつのＯＦＤＭシンボルは、複数のサブキャリアの信号によって構成されているので、加算部５４は、サブキャリアを単位にして加算を実行する。ここでの加算が、合成に相当する。スケーリング部５６は、加算部５４において加算された信号の出力ビット数の調節を施す。スケーリング部５６は、出力ビット数を調節した信号を合成データ２０６として出力する。
【００６１】
以上の構成による受信装置１００の動作を説明する。無線部１２は、ＯＦＤＭシンボル単位で周波数ホッピングされた信号に対して、その周波数を無線周波数からベースバンド周波数に変換し、受信信号２００として出力する。シンボルタイミング同期部２２は、シンボルタイミング同期部２２からＯＦＤＭシンボルのタイミングを抽出する。導出部２４は、シンボルタイミング同期部２２からＯＦＤＭシンボルのタイミングを入力し、受信信号２００におけるＯＦＤＭシンボルあたりのＳＮＲを計算し、ふたつの同一内容のＯＦＤＭシンボルに対するＳＮＲの比を導出し、その結果を合成制御信号２０２として出力する。遅延シンボル合成部２０は、受信信号２００のＯＦＤＭシンボルのうち、ＩＦＦＴ信号の区間の信号とＧＩの区間の信号とを合成する。
【００６２】
ＦＦＴ２６は、遅延シンボル合成部２０において合成した信号をＦＦＴする。等化部２８は、プリアンブルから無線伝送路の特性を推定し、推定した無線伝送路の特性にもとづいて、ＦＦＴ２６においてＦＦＴした信号を等化し、等化データ２０４として出力する。合成部３０は、合成制御信号２０２を反映させながら、ふたつの同一内容のＯＦＤＭシンボルに対する重み係数をそれぞれ導出する。合成部３０は、等化データ２０４のうち、ふたつの同一内容のＯＦＤＭシンボルを重み係数によって重み付けをしてから合成し、合成データ２０６として導出する。デマッピング部３２は、合成データ２０６をデマッピングする。デインタリーブ部３４は、デマッピング部３２においてデマッピングされた信号をデインターリーブする。復号部３６は、デインタリーブ部３４においてデインターリーブされた信号を復号する。
【００６３】
ここで、本実施例の別の態様を説明する。ここまで、導出部２４は、重み係数を導出するために、受信信号２００からＳＮＲを計算していた。本実施例の別の態様において、導出部２４は、受信信号２００から信号強度を導出する。そのため、本実施例の別の態様では、ＧＩの区間において信号が送信されている場合であっても、重み係数を導出できる。
【００６４】
図１０は、導出部２４の別の構成を示す。導出部２４は、電力積算部４０、平均化部４２、比較部７０を含む。
【００６５】
電力積算部４０は、ひとつのＯＦＤＭシンボルにおける電力を積算する。ここでは、ベースバンド処理部１４が動作するサンプリング間隔によってＯＦＤＭシンボルの区間の電力を積算する。平均化部４２は、ＯＦＤＭシンボルの区間でのサンプル数に応じて、電力積算部４０において積算したＯＦＤＭシンボルの区間の電力を平均する。
【００６６】
比較部７０は、平均化部４２から平均化された電力を入力する。さらに、比較部７０は、ふたつの同一内容のＯＦＤＭシンボルに対する信号強度として電力を比較し、その大きさの比を示す信号を生成する。比較部７０は、生成した信号を合成制御信号２０２として出力する。
【００６７】
このような本実施例の別の態様において、ベースバンド処理部１４には、同一内容のＯＦＤＭシンボルが所定の回数繰り返された受信信号２００が入力される。ここで、所定の回数は、前述の実施例と同様に「２」とする。ここで、ＯＦＤＭシンボル信号は、ＩＦＦＴ信号とＧＩによって形成されているが、ＧＩは、無送信区間であってもよく、ＩＦＦＴ信号の一部の区間が送信されていてもよい。後者の場合には、ＧＩがＩＦＦＴ信号の前段に配置されていてもよい。
【００６８】
導出部２４は、ふたつの同一内容のＯＦＤＭシンボルのそれぞれに対応する信号強度を反映させながら、ふたつの重み係数をそれぞれ導出する。導出部２４は、ＯＦＤＭシンボル単位の信号強度を反映させながら、重み係数をシンボル単位で更新するので、これは、周波数ホッピングにおいて規定された複数のホッピング周波数のそれぞれに対応する信号強度を反映させながら、ホッピング周波数単位の重み係数をそれぞれ導出することに相当する。合成部３０は、ふたつの重み係数と同一内容のＯＦＤＭシンボルを対応させつつ、ふたつの重み係数によって同一内容のＯＦＤＭシンボルをそれぞれ重み付けしながら、ふたつの同一内容のＯＦＤＭシンボルを合成する。
【００６９】
本発明の実施例によれば、所定の回数繰り返された同一内容のＯＦＤＭシンボルのそれぞれに対応する重み係数が、同一内容のＯＦＤＭシンボルのそれぞれに対する信号対雑音比を反映しているので、同一内容のＯＦＤＭシンボルの一方における品質が低い場合であっても、ＯＦＤＭシンボルの合成利得の低下を抑制できる。また、ふたつの同一内容のＯＦＤＭシンボルのそれぞれに対応するＳＮＲを反映させながら、重み係数を導出し、導出した重み係数によって重み付けしてから、ふたつの同一内容のＯＦＤＭシンボルを合成するので、同一内容のＯＦＤＭシンボルの一方における品質が低い場合であっても、ＯＦＤＭシンボルの合成利得の低下を抑制できる。また、ＯＦＤＭシンボルの中の有送信区間と無送信区間のそれぞれに対する電力からＳＮＲを導出するので、無線伝送路の特性に応じたＳＮＲを測定できる。また、ＳＮＲを簡易に測定できる。また、ＳＮＲに応じた重み係数を使用するので、合成利得を向上できる。また、通信品質を向上できる。また、ＯＦＤシンボル単位に重み係数を導出するので、無線伝送路の変動に追従した重み係数を導出できる。また、無線伝送路が変動している場合であっても、ＯＦＤＭシンボルの合成利得の低下を抑制できる。
【００７０】
また、重み係数をホッピング周波数単位に導出するので、周波数ホッピングに対応した重み係数を導出できる。また、時間ダイバーシチの効果と周波数ダイバーシチの効果が得られる。また、サブキャリア単位に信号を合成するので、マルチキャリア信号にも対応できる。また、所定の回数繰り返された同一内容のＯＦＤＭシンボルのそれぞれに対応する重み係数が、同一内容のＯＦＤＭシンボルのそれぞれに対する信号強度を反映しているので、同一内容のＯＦＤＭシンボルの一方における品質が低い場合であっても、ＯＦＤＭシンボルの合成利得の低下を抑制できる。また、ふたつの同一内容のＯＦＤＭシンボルのそれぞれに対応する信号強度を反映させながら、重み係数を導出し、導出した重み係数によって重み付けしてから、ふたつの同一内容のＯＦＤＭシンボルを合成するので、同一内容のＯＦＤＭシンボルの一方における品質が低い場合であっても、ＯＦＤＭシンボルの合成利得の低下を抑制できる。また、信号強度を反映させながら重み係数を導出するので、ＯＦＤＭシンボルの中に無送信区間が存在しない場合であっても、適用できる。また、ＳＮＲを計算しないので、処理を簡易にできる。また、様々な通信システムに適用できる。
【００７１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７２】
本発明の実施例において、受信装置１００は、マルチキャリア信号を受信している。しかしながらこれに限らず例えば、マルチキャリア信号でなくてもよい。その場合、実施例における「ＯＦＤＭシンボル」が、単に「シンボル」となる。また、サブキャリアを単位にした処理が、ひとつのキャリアに対する処理になる。本変形例によれば、シングルキャリアに対応した通信システムにも本発明を適用できる。つまり、所定の単位に、同一のシンボルが繰り返されるように信号が形成されていればよい。
【００７３】
本発明の実施例において、受信装置１００は、同一内容のシンボルを連続して受信している。しかしながらこれに限らず例えば、同一内容のシンボルが連続していなくてもよい。その場合、受信装置１００は、同一内容のシンボルが受信されるタイミングにおいて、実施例と同様の処理を実行する。本変形例によれば、同一内容のシンボルが送信されるが、それらは連続していないような信号フォーマットにも本発明を適用できる。つまり、受信装置１００が、同一内容のシンボルが繰り返される規則性を把握していればよい。また、同一内容のシンボルが、時間的に異なったタイミングで受信されればよい。
【００７４】
本発明の実施例において、受信装置１００は、周波数ホッピングされた信号を受信している。しかしながらこれに限らず例えば、受信装置１００は、周波数ホッピングされていない信号を受信していなくてもよい。本変形例によれば、さまざまな通信システムに本発明を適用できる。また、時間ダイバーシチの効果も得られる。つまり、所定の単位に、同一のシンボルが繰り返されるように信号が形成されていればよい。
【００７５】
本発明の実施例において、合成部３０は、重み係数テーブル５８に記憶した値を重み係数として使用している。しかしながらこれに限らず例えば、合成部３０は、導出部２４において導出されたＳＮＲや信号強度をそのまま重み係数に使用してもよい。本変形例によれば、重み係数テーブル５８を不要にできる。つまり、無線伝送路の特性に応じた重み係数が導出されればよい。
【００７６】
本発明の実施例において、導出部２４と合成部３０は、シンボル単位に重み係数を導出している。しかしながらこれに限らず例えば、受信装置１００に入力される信号は、複数のシンボルを含んだバースト信号であって、導出部２４と合成部３０は、バースト信号の一部の期間において、ホッピング周波数単位の重み係数をそれぞれ導出してもよい。ここで、「一部の期間」とは、例えば、プリアンブルに設定される。本変形例によれば、バースト信号の一部の期間において重み係数を導出すればよいので、処理の期間を短くできる。また、消費電力の増加も抑制できる。つまり、無線伝送路の特性に応じた重み係数が導出されればよい。
【図面の簡単な説明】
【００７７】
【図１】本発明の実施例に係る受信装置の構成を示す図である。
【図２】図１の受信装置において受信される信号のホッピング周波数を示す図である。
【図３】図３（ａ）−（ｃ）は、図１の受信装置において受信される信号のシンボルの構成を示す図である。
【図４】図４（ａ）−（ｂ）は、図１の受信装置において受信される信号の波形を示す図である。
【図５】図１の受信装置において受信される信号のバーストフォーマットを示す図である。
【図６】図１のベースバンド処理部の構成を示す図である。
【図７】図６の導出部の構成を示す図である。
【図８】図６の合成部の構成を示す図である。
【図９】図８の重み係数テーブルにおけるデータの構造を示す図である。
【図１０】図６の導出部の別の構成を示す図である。
【符号の説明】
【００７８】
２０  遅延シンボル合成部、  ２２  シンボルタイミング同期部、  ２４  導出部、  ２６  ＦＦＴ、  ２８  等化部、  ３０  合成部、  ３２  デマッピング部、  ３４  デインタリーブ部、  ３６  復号部、  ４０  電力積算部、  ４２  平均化部、  ４４  ＳＮＲ演算部、  ４６  ＳＮＲ比較部、  ５０  乗算部、  ５２  バッファ、  ５４  加算部、  ５６  スケーリング部、  ５８  重み係数テーブル、  ６０  タイミング出力部、  １００  受信装置。
【図１】
2006100887.tif 000003
【図２】
2006100887.tif 000004
【図３】
2006100887.tif 000005
【図４】
2006100887.tif 000006
【図５】
2006100887.tif 000007
【図６】
2006100887.tif 000008
【図７】
2006100887.tif 000009
【図８】
2006100887.tif 000010
【図９】
2006100887.tif 000011
【図１０】
2006100887.tif 000012